(57)【特許請求の範囲】
【請求項１】
データラインを介して接続された複数の発信端末と受信端末との間でデジタルソースデータと制御データとを共通伝送する方法であって、前記ソースデータと制御データとが、長さが等しい個々のビットグループのクロック同期順序を指定する固定された伝送フォーマットで伝送される方法において、
各ビットグループ（１）において、少なくとも１つのビット位置（５）をアンフォーマット化データの伝送用に確保又は予約し、前記アンフォーマット化データを、前記伝送フォーマットに変換することなく、連続するビットグループ（１）の前記予約ビット位置（５）にビット毎に割り当てるとともに、これらアンフォーマット化データを前記制御データに基づいて、個々の発信端末／又は受信端末（７，８，９，１０，１１）に割り当てることを特徴とするデジタルデータ伝送方法。
【請求項２】
前記アンフォーマット化データの各伝送の開始前に、開始識別コードが制御データとして伝送される請求項１に記載のデジタルデータ伝送方法。
【請求項３】
前記アンフォーマット化データの各伝送の開始前に、アンフォーマット化データのデータ長が、制御データとして伝送される請求項１又は２に記載のデジタルデータ伝送方法。
【請求項４】
前記アンフォーマット化データの伝送の終わりに、終止識別コードを制御データとして送る請求項１〜３のいずれか１項に記載のデジタルデータ伝送方法。
【請求項５】
各受信端末（８，９，１０，１１）にユニークなアドレスが割り当てられ、前記アンフォーマットデータの各伝送の開始前に、このアンフォーマットデータの伝送目標である受信端末（８，９，１０，１１）のアドレスを制御データとして伝送する請求項１〜４のいずれか１項に記載のデジタルデータ伝送方法。
【請求項６】
前記各発信端末（７，８，９，１１）はユニークなアドレスを割り当てられ、前記アンフォーマット化データの各伝送の開始前に、そのアンフォーマット化データを出力する発信端末（７，８，９，１１）のアドレスが制御データとして伝送される請求項１〜５のいずれか１項に記載のデジタルデータ伝送方法。
【請求項７】
前記データライン（１２）として光ファイバ及び／又は電気線が使用される請求項１〜６のいずれか１項に記載のデジタルデータ伝送方法。
【請求項８】
請求項１〜７に記載のいずれかの方法を、複数のメンバ（７，８，９，１０，１１）がネットワークを介して相互接続され、このネットワークを介してアンフォーマット化データが各メンバ（７，８，９，１０，１１）間で伝送される通信システムに使用する使用方法。
【請求項９】
前記ネットワークはリング状ネットワークである請求項８に記載の使用方法。
【請求項１０】
自動車の通信システムのような移動通信システムに使用される請求項９に記載の使用方法。
【請求項１１】
家庭内に設置された通信システムのような静止通信システムに使用される請求項８に記載の使用方法。
【発明の詳細な説明】
【０００１】
【発明の属する技術分野】
本発明は、データラインを介して接続された複数の発信端末と受信端末との間でデジタルソースデータと制御データとを共通伝送する方法であって、前記ソースデータと制御データとが、長さが等しい個々のビットグループのクロック同期順列を指定するフォーマットで伝送される方法に関する。本発明は、更に、この方法の利用方法にも関する。
また、本発明は、発信端末と受信端末とを構成する加入機（加入者）が単一のデータラインによって接続されているリング形アーキテクチャをもつネットワークに関する。このデータラインを介して送信データと制御データはクロック信号に同期した連続的なデータフローで伝送される。このクロック信号は、単一の加入機によって生成される。全ての他の加入機はこのクロック信号に同期する。このことは、ＡＴＭ方式などのパケット交換方式のような純粋な非同期データ伝送方式とは区別される。
【０００２】
【従来の技術】
この種の方法は、互いに情報を交換することを意図した複数の種々の電気及び電子装置が、時として複雑な方法で相互リンクされている場合に必ず使用される。例えば、オーディオの分野において、ＣＤプレーヤ、ラジオ受信機、カセットテープレコーダ等の相互リンクされた発信端末と、これらの発信端末に接続されたアンプ−スピーカコンビネーション等の受信端末との間の通信が、このような方法によって制御される。
【０００３】
ＣＤプレーヤの開発において、ＩＥＣ９５８とも呼称されているいわゆるＳＰＤＩＦ（Ｓｏｎｙ／Ｐｈｉｌｉｐｓ  Ｄｉｇｉｔａｌ  Ｉｎｔｅｒｆａｃｅ  Ｆｏｒｍａｔ：ソニー／フィリップスデジタルインターフェース規格）が標準として確立された。このフォーマット（規格）は、データを、二つのサブフレームからなるフレームとして伝送することを指定し、各サブフレームは、制御データ用の上位４ビットと、これに続くソースデータ用の２４ビットと、特殊制御データ用の下位４ビットとから構成されている。そして各フレームの一方のサブフレームが左側の音声チャンネルに当てられ、他方のサブフレームが右側の音声チャンネルに当てられる。
【０００４】
このフォーマットの硬直性は複雑な通信システムにおいては不利であることが判っている。従って、本出願人は、本出願と同時に、「データラインを介して接続された複数の発信端末と受信端末との間でデジタルのソースデータと制御データとを共通に伝送する方法」と称する別の出願を行い、ここには、はるかにフレキシブルなデータ伝送用のフォーマットが記載されている。
【０００５】
基本的に、これらの方法は、ソースデータと制御データとの両方をその伝送の前に、固定的に指定されたフォーマットに変換しなければならないという点において共通している。他方、この変換には時間がかかり、時間がきわめて重要な利用方法において許容できない遅延を引き起こす可能性がある。他方、伝送フォーマットが指定された場合、その伝送のためにこのフォーマットで限定された制御データ、即ち、この特定の伝送フォーマットの「インストラクションセット」に含まれている制御データしか伝送することが出来ない。更に、伝送可能なデータワードの長さは、個々のビットグループの長さによって制限される。
【０００６】
【発明が解決しようとする課題】
本発明の課題は、任意の種類と長さのデータを装置間において迅速かつフレキシブルに伝送することが可能な、デジタルのソースデータと制御データとを共通伝送するための方法を提供することにある。
【０００７】
【課題を解決するための手段】
上記課題は、本発明によって、各ビットグループ（列）において、少なくとも１つのビット位置をアンフォーマット化データの伝送用に確保／予約し、前記アンフォーマット化データを、前記伝送フォーマットに変換することなく、連続するビットグループの前記予約ビット位置にビット毎に割り当てるとともに、これらアンフォーマット化データを、前記制御データに基づいて、特定の発信端末／受信端末に割り当てる構成によって達成される。
【０００８】
連続するビットグループの予約ビット位置にデータをアンフォーマット状態で伝送することによって、任意の長さのデータを伝送することができる。又、伝送フォーマットに適合する構造にデータを変換しないので、このような変換によって引き起こされるデータ伝送の遅延をなくすることができる。更に、特定伝送フォーマットの「インストラクションセット」に含まれていない制御データも伝送することが可能である。前記伝送フォーマットにとって未知のこれらの制御データは、制御データに基づいて、特定の発信端末／受信端末に割り当てられる。つまり、前記伝送フォーマットの「標準」制御データの関数として、単数又は複数の特定の受信装置に関連付けられる。
【０００９】
前記方法は、音声データの伝送に限定されるものではなく、ファックスデータ、ステータスデータ、テレフォンカードデータ、又はその他の制御データ等の任意のデータの伝送にも利用可能である。例えば、冒記したオーディオ装置の他に、ビデオカメラ、ビデオＣＤブレーヤ、電話機、ファックス機、マイクロフォン、ＣＤ−ＲＯＭ、あるいはコンピュータのハードディスクドライブ等も互いにリンクすることができる。更に、特に自動車において、制御装置及びモニタ装置をネットワークに加えることができる。例えば、外部灯またはタイヤの空気圧の作用状態をモニタするための装置や、エンジン回転数やターボチャージャのチャージャ圧を測定又は制御するための装置を組み込むことが可能である。このようにして、例えば、タイヤ空気圧が低下しかけている場合、オーディオシステムによって、そのスピーカから予め記憶された音声テクストとして警報を発生させることができる。
【００１０】
本発明の有利な一特徴構成において、アンフォーマット化データの伝送の開始時毎に、開始識別コードが制御データとして伝送される。これにより、簡単な方法で、アンフォーマットデータの伝送開始を受信側装置に知らせることができる。
【００１１】
本発明の更に別の好適特徴構成において、アンフォーマット化データの伝送の開始時毎に、アンフォーマット化データのデータ長が、制御データとして伝送される。この構成によれば、各受信側装置はそのアンフォーマットデータの終わりを容易に決定することができる。更に別の特徴構成において、アンフォーマット化データの伝送の終わりに、終止識別コードを制御データとして送り、これによってアンフォーマットデータの終端を識別するように構成することもできる。更に、前記開始識別コードと、データ長と更に終止識別コードとの全部を伝送すれば、その冗長データを利用して伝送エラーを検出することができる。
【００１２】
更に別の特徴構成において、各受信端末にユニークなアドレスが割り当てられ、アンフォーマットデータの伝送の開始毎に、このアンフォーマットデータの伝送目標である受信端末のアドレスを制御データとして伝送する。この構成によれば、伝送されたアドレスから、これに対応する受信端末は、自分がそのアンフォーマット化データの受信者であるか否かを知ることができ、これらのデータの読み取りによって始動することができる。
【００１３】
アンフォーマットデータを複数の受信端末に共通に伝送する場合には、データ伝送開始時に、これらデータの受信先としてのこれらの受信端末のアドレスを、制御データとして伝送すると有利である。
【００１４】
更に別の特徴構成において、そして、特に追加的特徴構成として、各発信端末はユニークなアドレスを割り当てられ、アンフォーマット化データの伝送の開始毎に、そのアンフォーマット化データを出力する発信端末のアドレスが制御データとして伝送される。
【００１５】
もしある発信端末のデータが常に同じ受信端末に伝送されることになっているのであれば、その発信端末の伝送されたアドレスから、これらの受信端末は、自分がそのアンフォーマット化データの受信者として指定されていることが判る。尚、受信端末のアドレスの伝送においては、発信端末のアドレスも伝送すると有利である。このように構成することによって、受信端末は、どの発信端末からそのデータが送られてきたかを認識することができる。
【００１６】
前述した、開始識別コード、終止識別コード、データ長、あるいは発信端末／受信端末のアドレス等の、アンフォーマット化データの関連付けと評価とに必要な制御データは、それぞれ、１つのビットグループ中に記憶することが可能である。しかし、これに代えて、アンフォーマット化データの伝送と同様に、これらの制御データを分割して、その目的のために連続する複数のビットグループに設けられたチェックビットに記憶することも可能である。又、これらの制御データを、アンフォーマット化データの伝送の開始時に、アンフォーマット化データ用に予約／確保された前記ビット位置に記憶することも可能である。
【００１７】
更に別の特徴構成において、前記データラインとして光ファイバ及び／又は電気線が使用される。特に、光ファイバを使用する場合には、非常に高速のデータ伝送が可能である。更に、光ファイバは特に軽量であり、従って、自動車等の移動システムにおいて実用性が高い。
【００１８】
好ましくは、前記方法は、複数のメンバが、特にリング状のネットワークを介して相互接続され、このネットワークを介してアンフォーマット化データが各メンバ間で伝送される通信システムに使用される。この場合、ネットワークを介して第１のメンバによって生成されたデータをアンフォーマット状態で第２のメンバに伝送することができ、この第２メンバが前記アンフォーマット化データを読み取り、所望の機能を行う。例えば、ＣＤプレーヤの再生スイッチを押すことによって発生されたデータを、アンフォーマット状態で、カセットテープレコーダに送り、該レコーダがこのデータを読み取って、シンクロスタート録音を開始する。
【００１９】
前記二つのネットワークメンバは必ずしも直接的に相互接続されている必要はなく、アンフォーマット化データは、該データの受信者ではなくこれら二つのメンバの間に介在する他のメンバを介して伝送することができる。
【００２０】
好ましくは、本発明の方法は、移動通信システム、特に、自動車の通信システムに使用される。自動車に使用される電子装置の数が増加し、これらの装置間でデータ通信を行う必要性が増しているので、本発明の方法をこのようなシステムに利用することはきわめて有利である。
【００２１】
更に、本発明の方法は、静止通信システム、特に、家庭内に設置された通信システムに使用される。これによって、大半の種々のオーディオ及びビデオ装置と、制御データとその他のデータを発生及び／又は処理するその他の装置とから、いわゆるマルチメディアネットワークシステムを構築することが可能である。
本発明のその他の特徴構成は従属請求項に記載されている。
【００２２】
【発明の効果】
本発明の方法の１つの利点は、１つの通信システムの複数のメンバ間において、任意のタイプのデータを非常に迅速かつフレキシブルに伝送できることにある。特に、特定伝送フォーマットの「インストラクションセット」に含まれていない制御データも伝送することが可能である。
【００２３】
【発明の実施の形態】
図１はビットグループ１を示し、これは、デジタルデータの伝送に使用可能なデータフォーマットの最小単位である。このビットグループ１は、制御データ用の第１領域２と、ソースデータ用の領域３と、別の制御データ用の第２領域４とに分割されている。
第１領域２は、４つのビット位置５を有し、これらのビット位置はアンフォーマット化データの伝送用に予約されている。
【００２４】
図２は、リング状ネットワークシステム６を示し、これは装置７，８，９，１０，１１を有している。これらの装置７，８，９，１０，１１は、光ファイバセグメント１２を介して互いに通信する。具体的には、これらの装置７，８，９，１０，１１は、それぞれ、ＣＤプレーヤ７と、アンプ８と、カセットテープレコーダ９と、ディスプレー装置１０とアクティブボックス１１である。
【００２５】
ＣＤプレーヤ７は、シリアル入力部１３を有し、これはスタートキー１４によってトリガ（起動）可能である。このスタートキー１４を押すと、挿入されたＣＤの再生が始まる。
カセットレコーダ９は、シリアル入力部１５を有し、これはシンクロ録音キー１６によってトリガ可能である。このシンクロ録音キー１６を操作することによって、カセットレコーダ９はシンクロ録音可能な状態になる。シンクロ録音の作用については後述する。
【００２６】
ディスプレー装置１０は、シリアル出力部１７を有し、これによってディスプレー１８がトリガされる。
音声データを、例えば、光ファイバセグメント１２を介してＣＤプレーヤ７からアンプ８に伝送するために、伝送すべきデータは任意の伝送フォーマットでフォーマット化され、ＣＤプレーヤ７によって時間的に連続した複数のビットグループ１として出力される。
【００２７】
例えば、ＣＤの再生とシンクロさせてカセットレコーダ９で録音を始めるために、本発明の方法を次のように利用することができる。
ＣＤの再生が開始される前に、カセットレコーダ９のシンクロ録音キー１６を操作し、このカセットレコーダ９をシンクロ録音スタンバイ状態にする。
ＣＤプレーヤ７のスタートキー１４を操作すると、ＣＤプレーヤ７は制御データを発生する。これらのデータは、アンフォーマット状態で連続するビットグループ１の前記ビット位置５にビット毎に割当られ、これがＣＤプレーヤ７から出力される。
【００２８】
同時に、前記アンフォーマットデータの伝送開始時に、カセットレコーダ９とディスプレー装置１０とのアドレスが、開始識別コードとアンフォーマットデータ列の長さとともに、前記第１ビットグループ１の、制御データ用に確保された第２領域４に記憶される。
【００２９】
前記複数の連続データグループ１は、光ファイバセグメント１２を介してアンプ８に送られ、ここで、ビットグループ１の領域３に記憶された音声データが処理される。前記データ位置５に割り当てられたアンフォーマット化データは、第２領域４に記憶された前記アドレスデータによって、これらアンフォーマットデータの受信者として指定されていないので、アンプ８によっては利用されない。
【００３０】
前記ビットグループ１が次の光ファイバセグメント１２を介してカセットレコーダ９に伝送されると、このカセットレコーダ９は、第２領域４に記憶されたアドレスデータから、自分がアンフォーマット化データの受信者であることを認識し、同じく領域４に記憶されている前記開始識別コードとデータ長データとに従って、ビット領域５に割り当てられたアンフォーマット化データを読み取り、これらのデータがシンクロ録音開始のための内部制御信号であると解釈する。このようにして、スタートキー１４によってＣＤプレーヤ７の再生が開始された時、カセットレコーダ９での録音が自動的に開始されるのである。
【００３１】
第１伝送ビットグループ１の前記第２領域には、カセットレコーダ９のアドレスだけでなくディスプレー装置１０のアドレスも記憶されているので、ビットグループ１の受信後、ディスプレー装置１０も、同様に、前記ビット位置５に割り当てられたアンフォーマット化データの受信者であることを認識する。従って、ディスプレー装置１０は、これらのアンフォーマット化データを、前記開始識別コードとデータ長データとに従って読み取り、これを内部制御信号と解釈する。このようにして、例えばＣＤの再生が始まった時に、「ＣＤシンクロ録音」という表示をディスプレー１８上に示すことができる。
【００３２】
尚、特許請求の範囲の項に図面との対照を便利にするために符号を記すが、該記入により本発明は添付図面の構造に限定されるものではない。
【図面の簡単な説明】
【図１】あるフォーマットでのデータ伝送用の、本発明の方法によるソースデータと制御データとの分布を示す図
【図２】個々のラインセグメントを介して相互接続された複数の装置を有し、これらの装置間におけるデータ伝送が本発明の方法によって可能なネットワークを示す図
【符号の説明】
１                      ビットグループ
５                      ビット位置
７、８、９、１０、１１  発信端末／受信端末
【図１】
0003815817.tif 000002
【図２】
0003815817.tif 000003